【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
第１画像を取得する第１取得手段と、
ダイナミックレンジが前記第１画像と異なる第２画像を取得する第２取得手段と、
前記第１画像の階調値に関する特徴情報を、前記第１画像から取得する特徴取得手段と、
階調値と表示輝度の対応関係を前記特徴取得手段で取得された特徴情報に基づいて前記第２画像の対応関係に近づける画像処理を行うことにより、前記第１画像を第３画像に変換する第１変換手段と、
前記第２画像と前記第３画像を合成することにより合成画像を生成する合成手段と、
を有することを特徴とする画像処理装置。
【請求項２】
前記特徴情報は、前記第１画像の領域であり且つ階調値が第１閾値以上の画素からなる領域である明部領域を代表する階調値と、前記明部領域のサイズと、の少なくとも一方を表す
ことを特徴とする請求項１に記載の画像処理装置。
【請求項３】
前記第１変換手段は、階調値と表示輝度の対応関係が前記明部領域を代表する階調値が小さいほど前記第２画像の対応関係に近い第３画像に、前記第１画像を変換する
ことを特徴とする請求項２に記載の画像処理装置。
【請求項４】
前記第１変換手段は、階調値と表示輝度の対応関係が前記明部領域のサイズが小さいほど前記第２画像の対応関係に近い第３画像に、前記第１画像を変換する
ことを特徴とする請求項２に記載の画像処理装置。
【請求項５】
前記特徴情報は、前記明部領域のサイズとして、前記第１画像の総画素数に対する前記明部領域の総画素数の割合を表す
ことを特徴とする請求項２〜４のいずれか１項に記載の画像処理装置。
【請求項６】
前記特徴情報は、前記明部領域を代表する階調値として、前記明部領域の階調値の平均値を表す
ことを特徴とする請求項２〜５のいずれか１項に記載の画像処理装置。
【請求項７】
階調値と表示輝度の対応関係が前記第３画像の対応関係と等しい第４画像に、前記第２画像を変換する第２変換手段をさらに有し、
前記合成手段は、前記第３画像と前記第４画像を合成することにより合成画像を生成する
ことを特徴とする請求項１〜６のいずれか１項に記載の画像処理装置。
【請求項８】
前記第１変換手段は、前記第１画像の対応関係と前記第２画像の対応関係と、を重みづけ合成することにより、前記第３画像の対応関係を決定する
ことを特徴とする請求項１〜７のいずれか１項に記載の画像処理装置。
【請求項９】
前記第１取得手段は、フレーム毎に第１画像を取得し、
前記第１画像の対応関係は、当該第１画像のダイナミックレンジに依存して変化し、
前記第１変換手段は、
階調値と表示輝度の対応関係が現在のフレームの１つ前のフレームの第３画像と等しい第３画像に現在のフレームの第１画像を変換する第１変換処理と、現在のフレームの第１画像の対応関係と前記第２画像の対応関係とを重みづけ合成した対応関係を有する第３画像に現在のフレームの第１画像を変換する第２変換処理と、を任意のタイミングで切り替えて実行することにより、前記フレーム毎に第１画像を第３画像に変換し、
前記合成手段は、前記フレーム毎に合成画像を生成する
ことを特徴とする請求項８に記載の画像処理装置。
【請求項１０】
前記対応関係は、第２閾値以下の階調値と表示輝度の対応関係である暗部対応関係である
ことを特徴とする請求項１〜９のいずれか１項に記載の画像処理装置。
【請求項１１】
前記第１変換手段は、前記第３画像の暗部対応関係と滑らかに繋がる、前記第２閾値以上の階調値と表示輝度の対応関係である非暗部対応関係を、前記第３画像の非暗部対応関係として決定する
ことを特徴とする請求項１０に記載の画像処理装置。
【請求項１２】
前記第２画像のダイナミックレンジは、前記第１画像のダイナミックレンジよりも狭いことを特徴とする請求項１〜１１のいずれか１項に記載の画像処理装置。
【請求項１３】
前記第２画像のダイナミックレンジは、前記第１画像のダイナミックレンジの一部である
ことを特徴とする請求項１〜１２のいずれか１項に記載の画像処理装置。
【請求項１４】
第１画像を取得する第１取得ステップと、
ダイナミックレンジが前記第１画像と異なる第２画像を取得する第２取得ステップと、
前記第１画像の階調値に関する特徴情報を、前記第１画像から取得する特徴取得ステップと、
階調値と表示輝度の対応関係を前記特徴取得ステップで取得された特徴情報に基づいて前記第２画像の対応関係に近づける画像処理を行うことにより、前記第１画像を第３画像に変換する第１変換ステップと、
前記第２画像と前記第３画像を合成することにより合成画像を生成する合成ステップと、
を有することを特徴とする画像処理方法。
【請求項１５】
前記特徴情報は、前記第１画像の領域であり且つ階調値が第１閾値以上の画素からなる領域である明部領域を代表する階調値と、前記明部領域のサイズと、の少なくとも一方を表す
ことを特徴とする請求項１４に記載の画像処理方法。
【請求項１６】
前記第１変換ステップでは、階調値と表示輝度の対応関係が前記明部領域を代表する階調値が小さいほど前記第２画像の対応関係に近い第３画像に、前記第１画像を変換する
ことを特徴とする請求項１５に記載の画像処理方法。
【請求項１７】
前記第１変換ステップでは、階調値と表示輝度の対応関係が前記明部領域のサイズが小さいほど前記第２画像の対応関係に近い第３画像に、前記第１画像を変換する
ことを特徴とする請求項１５に記載の画像処理方法。
【請求項１８】
前記特徴情報は、前記明部領域のサイズとして、前記第１画像の総画素数に対する前記明部領域の総画素数の割合を表す
ことを特徴とする請求項１５〜１７のいずれか１項に記載の画像処理方法。
【請求項１９】
前記特徴情報は、前記明部領域を代表する階調値として、前記明部領域の階調値の平均値を表す
ことを特徴とする請求項１５〜１８のいずれか１項に記載の画像処理方法。
【請求項２０】
階調値と表示輝度の対応関係が前記第３画像の対応関係と等しい第４画像に、前記第２画像を変換する第２変換ステップをさらに有し、
前記合成ステップでは、前記第３画像と前記第４画像を合成することにより合成画像を生成する
ことを特徴とする請求項１４〜１９のいずれか１項に記載の画像処理方法。
【請求項２１】
前記第１変換ステップでは、前記第１画像の対応関係と前記第２画像の対応関係と、を重みづけ合成することにより、前記第３画像の対応関係を決定する
ことを特徴とする請求項１４〜２０のいずれか１項に記載の画像処理方法。
【請求項２２】
前記第１取得ステップでは、フレーム毎に第１画像を取得し、
前記第１画像の対応関係は、当該第１画像のダイナミックレンジに依存して変化し、
前記第１変換ステップでは、
階調値と表示輝度の対応関係が現在のフレームの１つ前のフレームの第３画像と等しい第３画像に現在のフレームの第１画像を変換する第１変換処理と、現在のフレームの第１画像の対応関係と前記第２画像の対応関係とを重みづけ合成した対応関係を有する第３画像に現在のフレームの第１画像を変換する第２変換処理と、を任意のタイミングで切り替えて実行することにより、前記フレーム毎に第１画像を第３画像に変換し、
前記合成ステップでは、前記フレーム毎に合成画像を生成する
ことを特徴とする請求項２１に記載の画像処理方法。
【請求項２３】
前記対応関係は、第２閾値以下の階調値と表示輝度の対応関係である暗部対応関係である
ことを特徴とする請求項１４〜２２のいずれか１項に記載の画像処理方法。
【請求項２４】
前記第１変換ステップでは、前記第３画像の暗部対応関係と滑らかに繋がる、前記第２閾値以上の階調値と表示輝度の対応関係である非暗部対応関係を、前記第３画像の非暗部対応関係として決定する
ことを特徴とする請求項２３に記載の画像処理方法。
【請求項２５】
前記第２画像のダイナミックレンジは、前記第１画像のダイナミックレンジよりも狭いことを特徴とする請求項１４〜２４のいずれか１項に記載の画像処理方法。
【請求項２６】
前記第２画像のダイナミックレンジは、前記第１画像のダイナミックレンジの一部である
ことを特徴とする請求項１４〜２５のいずれか１項に記載の画像処理方法。
【請求項２７】
請求項１４〜２６のいずれか１項に記載の画像処理方法の各ステップをコンピュータに実行させるためのプログラム。
【手続補正２】
【補正対象書類名】明細書
【補正対象項目名】００１１
【補正方法】変更
【補正の内容】
【００１１】
本発明の第１の態様は、
第１画像を取得する第１取得手段と、
ダイナミックレンジが前記第１画像と異なる第２画像を取得する第２取得手段と、
前記第１画像の階調値に関する特徴情報を、前記第１画像から取得する特徴取得手段と、
階調値と表示輝度の対応関係を前記特徴取得手段で取得された特徴情報に基づいて前記第２画像の対応関係に近づける画像処理を行うことにより、前記第１画像を第３画像に変換する第１変換手段と、
前記第２画像と前記第３画像を合成することにより合成画像を生成する合成手段と、
を有することを特徴とする画像処理装置である。
【手続補正３】
【補正対象書類名】明細書
【補正対象項目名】００１２
【補正方法】変更
【補正の内容】
【００１２】
本発明の第２の態様は、
第１画像を取得する第１取得ステップと、
ダイナミックレンジが前記第１画像と異なる第２画像を取得する第２取得ステップと、
前記第１画像の階調値に関する特徴情報を、前記第１画像から取得する特徴取得ステップと、
階調値と表示輝度の対応関係を前記特徴取得ステップで取得された特徴情報に基づいて前記第２画像の対応関係に近づける画像処理を行うことにより、前記第１画像を第３画像に変換する第１変換ステップと、
前記第２画像と前記第３画像を合成することにより合成画像を生成する合成ステップと、
を有することを特徴とする画像処理方法である。